(57)【要約】【課題】移動体通信端末での良好なテレビ視聴を実現する。【解決手段】移動体通信端末１００は、放送装置２００によるテレビ放送を受信する。このとき、移動体通信端末１００は、自己の位置情報と、放送の受信状態を示す受信レベル情報とを、移動体通信網１０を介して配信装置３００に送信する。配信装置３００では、移動体通信端末１００から送信された位置情報と受信レベル情報を用いて、放送エリア内の受信状態を示す情報の生成・更新をおこなう。配信装置３００はまた、移動体通信端末１００から随時送信される位置情報の履歴から、移動体通信端末１００の移動先を予測し、予測した移動先の受信状態が悪い場合、放送されているコンテンツと同一のコンテンツデータを当該移動体通信端末１００に配信するとともに、コンテンツデータの取得先を放送から配信装置３００に切り替えさせる。【選択図】図１
2007259049.tif 000002
【特許請求の範囲】
【請求項１】
テレビ放送受信機能を有する移動体通信端末と、前記移動体通信端末にコンテンツデータを配信する配信装置と、から構成されるテレビ受信システムであって、
前記移動体通信端末は、
テレビ放送受信時の前記移動体通信端末の位置を示す位置情報と、前記テレビ放送の受信レベルを示す受信レベル情報とを、通信ネットワークを介して前記配信装置に送信する送信手段と、
前記送信手段が送信した情報に基づく前記配信装置の制御により、受信しているコンテンツの取得先を、前記放送から前記配信装置に切り替える切替手段と、を備え、
前記配信装置は、
前記移動体通信端末の前記送信手段が送信した情報に基づいて、前記テレビ放送の放送エリア内での前記移動体通信端末における放送受信状態を判別する判別手段と、
前記判別手段による判別結果に基づいて、前記移動体通信端末が受信しているテレビ放送のコンテンツと同一のコンテンツデータを、前記通信ネットワークを介して該移動体通信端末に配信する配信手段と、を備える、
ことを特徴とするテレビ受信システム。
【請求項２】
テレビ放送受信機能を備える移動体通信端末でのテレビ放送受信を補完するための放送補完装置であって、
テレビ放送を受信している前記移動体通信端末の位置を示す位置情報と、受信しているテレビ放送の受信レベルを示す受信レベル情報を、該移動体通信端末から通信ネットワークを介して取得する端末情報取得手段と、
前記端末情報取得手段が取得した情報を記憶する端末情報記憶手段と、
前記テレビ放送で放送されているコンテンツデータと同一のコンテンツデータを取得して記憶するコンテンツデータ取得手段と、
前記端末情報記憶手段が記憶した位置情報と受信レベル情報に基づいて、前記テレビ放送の放送エリア内での前記移動体通信端末における受信状態を判別する受信状態判別手段と、
前記受信状態判別手段の判別結果に基づいて、前記コンテンツデータ取得手段が記憶する前記コンテンツデータを、前記通信ネットワークを介して前記移動体通信端末に配信する配信手段と、
を備えることを特徴とする放送補完装置。
【請求項３】
前記端末情報記憶手段が記憶する前記位置情報と前記受信レベル情報とに基づいて、前記テレビ放送の放送エリア内の受信状態を示す受信状態情報を生成する受信状態情報生成手段をさらに備え、
前記受信状態判別手段は、前記移動体通信端末の位置に対応する前記受信状態情報に基づいて、該移動体通信端末におけるテレビ放送受信状態を判別する、
ことを特徴とする請求項２に記載の放送補完装置。
【請求項４】
前記端末情報記憶手段が記憶する前記移動体通信端末の前記位置情報に基づいて、該移動体通信端末の移動先を予測する予測手段をさらに備え、
前記受信状態判別手段は、前記予測手段が予測した移動先での前記移動体通信端末におけるテレビ放送受信状態を判別する、
ことを特徴とする請求項２または３に記載の放送補完装置。
【請求項５】
前記受信状態判別手段は、前記移動体通信端末におけるテレビ放送受信状態が所定のレベル以下であるか否かを判別し、
前記受信状態判別手段が判別した受信状態が前記所定のレベル以下である場合、前記配信手段に前記コンテンツデータを配信させるとともに、前記移動体通信端末におけるコンテンツデータの取得先を、前記放送から前記配信手段に切り替えさせる端末制御手段をさらに備える、
ことを特徴とする請求項２乃至４のいずれか１項に記載の放送補完装置。
【請求項６】
前記端末制御手段は、前記受信状態判別手段が判別した受信状態が前記所定のレベル以下でない場合、前記移動体通信端末におけるコンテンツデータの取得先を、前記配信手段から前記放送に切り替えさせる、
ことを特徴とする請求項５に記載の放送補完装置。
【請求項７】
前記制御手段は、前記移動体通信端末におけるコンテンツデータの取得を切り替えさせる制御信号を生成し、生成した制御信号を、前記通信ネットワークを介して前記移動体通信端末に送信する、
ことを特徴とする請求項５または６に記載の放送補完装置。
【請求項８】
テレビ放送受信機能を備えた移動体通信端末であって、
テレビ放送受信中の前記移動体通信端末の位置を示す位置情報を、通信によって前記テレビ放送を補完する放送補完装置に通信ネットワークを介して随時送信する位置情報送信手段と、
前記テレビ放送の受信レベルを検出する受信レベル検出手段と、
前記受信レベル検出手段の検出結果を示す受信レベル情報を、前記位置情報とともに、前記通信ネットワークを介して前記放送補完装置に送信する受信レベル情報送信手段と、
前記位置情報送信手段が送信した位置情報と、前記受信レベル情報送信手段が送信した受信レベル情報とに基づいて前記放送補完装置から送信された制御信号を、前記通信ネットワークを介して受信する制御信号受信手段と、
前記制御信号受信手段が受信した制御信号に基づいて、前記テレビ放送で放送されているコンテンツデータの受信先を、前記放送補完装置または前記放送に切り替える受信切替手段と、
前記受信切替手段によって前記受信先が前記放送補完装置に切り替えられた場合、前記放送補完装置が前記通信ネットワークを介して配信する前記コンテンツデータを受信して再生するコンテンツ再生手段と、
を備えることを特徴とする移動体通信端末。
【請求項９】
コンピュータに、
テレビ放送を受信している移動体通信端末の位置を示す位置情報と、受信しているテレビ放送の受信レベルを示す受信レベル情報を、該移動体通信端末から通信ネットワークを介して取得して蓄積する機能と、
前記テレビ放送で放送されているコンテンツデータと同一のコンテンツデータを取得する機能と、
前記移動体通信端末から取得した位置情報と受信レベル情報に基づいて、前記テレビ放送の放送エリア内における受信状態を示す受信状態情報を生成する機能と、
前記移動体通信端末から取得した位置情報に基づいて、該移動体通信端末の移動先を予測する機能と、
生成した前記受信状態情報に基づいて、予測した移動先における前記移動体通信端末の受信状態を判別する機能と、
予測した移動先における前記移動体通信端末の受信状態が所定のレベル以下である場合、前記取得したコンテンツデータと、該移動体通信端末における受信方法を切り替えさせる制御信号とを、前記通信ネットワークを介して当該移動体通信端末に送信する機能と、
を実現させることを特徴とするプログラム。
【請求項１０】
テレビ放送受信機能を有する移動体通信端末を制御するコンピュータに、
テレビ放送受信中の前記移動体通信端末の位置を示す位置情報を、通信によって前記テレビ放送を補完する放送補完装置に通信ネットワークを介して随時送信する機能と、
前記テレビ放送の受信レベルを検出する機能と、
検出した受信レベルを示す受信レベル情報を、前記位置情報とともに、前記通信ネットワークを介して前記放送補完装置に送信する機能と、
送信した前記位置情報と前記受信レベル情報とに基づいて前記放送補完装置から送信された制御信号を、前記通信ネットワークを介して受信する機能と、
受信した前記制御信号に基づいて、前記テレビ放送で放送されているコンテンツデータの受信先を、前記放送補完装置または前記放送に切り替える機能と、
前記コンテンツデータの受信先が前記放送補完装置に切り替えられた場合、前記放送補完装置が前記通信ネットワークを介して配信する前記コンテンツデータを受信して再生する機能と、
を実現させることを特徴とするプログラム。
【発明の詳細な説明】
【技術分野】
【０００１】
本発明は、テレビ受信システム、放送補完装置、移動体通信端末、および、プログラムに関し、特に、移動体通信端末でのテレビ視聴に好適なテレビ受信システム、放送補完装置、移動体通信端末、および、プログラムに関する。
【背景技術】
【０００２】
近時、地上デジタル放送などで放送されるテレビ番組の視聴機能を備えた移動体通信端末が実現されている。特に、携帯電話などの移動体通信端末向けのテレビ放送として、いわゆる１セグメント放送と呼ばれるデジタル放送が実現されており、移動体通信端末を用いてテレビ放送を視聴する機会が増大しつつある。
【０００３】
テレビ放送の場合、放送電波の到達範囲に限りがあるため、地域単位で放送エリアが規定されている。そして、放送エリア毎に放送局が異なるとともに、各チャンネルの周波数なども異なる。据え置き型のテレビ受像機であれば、設置する場所の放送エリアに合わせてチャンネル設定をおこなえばよいが、携行される移動体通信端末の場合、現在位置に対応する放送エリアが固定的ではない。よって、その時々に対応する放送エリアに応じてチャンネル設定をおこなう必要がある。
【０００４】
このため、移動体通信端末の移動先を予測し、放送エリアが変わってしまう場合には、移動先の放送エリアのチャンネル設定に必要な情報を予め取得することで、放送エリアが遷移しても番組視聴を継続させる手法などが提案されている（例えば、特許文献１）。
【０００５】
また、このような切り替え時に生じうる受信パケットの欠落を補完するために、放送内容と同一のコンテンツを通信によって配信して、良好なテレビ視聴を継続させる手法なども提案されている（例えば、特許文献２）。
【特許文献１】特開２００４−２８２３５０号公報
【特許文献２】特開２００４−４０３８０号公報
【発明の開示】
【発明が解決しようとする課題】
【０００６】
このような手法によって、放送エリアが変わることで生じる再生品質の低下等を防止することが可能となったが、再生品質の低下は同一放送エリア内でも起こり得る。すなわち、移動体通信端末における放送電波の受信状態は、例えば、地形の変化に伴う受信高の変化や、周辺の建造物等への反射で起こるマルチパス、移動に伴う受信波のレベル変動（フェージング）、などによって異なるため、同じ放送エリア内でも、場所によって受信状態の良否が変化し、再生品質が低下する場合がある。
【０００７】
携行される移動体通信端末の場合、どの場所でも良好な再生品質を得られることが望ましいが、放送エリア自体が変わることで生じる問題を解消するための従来技術では、上記のような要因に起因する同一放送エリア内での再生品質の低下を防止することができない。
【０００８】
本発明は、上記実状に鑑みてなされたものであり、移動体通信端末で良好なテレビ視聴を実現することができるテレビ受信システム等を提供することを目的とする。
【課題を解決するための手段】
【０００９】
上記目的を達成するため、本発明の第１の観点にかかるテレビ受信システムは、
テレビ放送受信機能を有する移動体通信端末と、前記移動体通信端末にコンテンツデータを配信する配信装置と、から構成されるテレビ受信システムであって、
前記移動体通信端末は、
テレビ放送受信時の前記移動体通信端末の位置を示す位置情報と、前記テレビ放送の受信レベルを示す受信レベル情報とを、通信ネットワークを介して前記配信装置に送信する送信手段と、
前記送信手段が送信した情報に基づく前記配信装置の制御により、受信しているコンテンツの取得先を、前記放送から前記配信装置に切り替える切替手段と、を備え、
前記配信装置は、
前記移動体通信端末の前記送信手段が送信した情報に基づいて、前記テレビ放送の放送エリア内での前記移動体通信端末における放送受信状態を判別する判別手段と、
前記判別手段による判別結果に基づいて、前記移動体通信端末が受信しているテレビ放送のコンテンツと同一のコンテンツデータを、前記通信ネットワークを介して該移動体通信端末に配信する配信手段と、を備える、
ことを特徴とする。
【００１０】
上記目的を達成するため、本発明の第２の観点にかかる放送補完装置は、
テレビ放送受信機能を備える移動体通信端末でのテレビ放送受信を補完するための放送補完装置であって、
テレビ放送を受信している前記移動体通信端末の位置を示す位置情報と、受信しているテレビ放送の受信レベルを示す受信レベル情報を、該移動体通信端末から通信ネットワークを介して取得する端末情報取得手段と、
前記端末情報取得手段が取得した情報を記憶する端末情報記憶手段と、
前記テレビ放送で放送されているコンテンツデータと同一のコンテンツデータを取得して記憶するコンテンツデータ取得手段と、
前記端末情報記憶手段が記憶した位置情報と受信レベル情報に基づいて、前記テレビ放送の放送エリア内での前記移動体通信端末における受信状態を判別する受信状態判別手段と、
前記受信状態判別手段の判別結果に基づいて、前記コンテンツデータ取得手段が記憶する前記コンテンツデータを、前記通信ネットワークを介して前記移動体通信端末に配信する配信手段と、
を備えることを特徴とする。
【００１１】
上記放送補完装置は、
前記端末情報記憶手段が記憶する前記位置情報と前記受信レベル情報とに基づいて、前記テレビ放送の放送エリア内の受信状態を示す受信状態情報を生成する受信状態情報生成手段をさらに備えていることが望ましく、この場合、
前記受信状態判別手段は、前記移動体通信端末の位置に対応する前記受信状態情報に基づいて、該移動体通信端末におけるテレビ放送受信状態を判別することが望ましい。
【００１２】
上記放送補完装置は、
前記端末情報記憶手段が記憶する前記移動体通信端末の前記位置情報に基づいて、該移動体通信端末の移動先を予測する予測手段をさらに備えていることが望ましく、この場合、
前記受信状態判別手段は、前記予測手段が予測した移動先での前記移動体通信端末におけるテレビ放送受信状態を判別することが望ましい。
【００１３】
上記放送補完装置において、
前記受信状態判別手段は、前記移動体通信端末におけるテレビ放送受信状態が所定のレベル以下であるか否かを判別することが望ましく、この場合、
前記受信状態判別手段が判別した受信状態が前記所定のレベル以下である場合、前記配信手段に前記コンテンツデータを配信させるとともに、前記移動体通信端末におけるコンテンツデータの取得先を、前記放送から前記配信手段に切り替えさせる端末制御手段をさらに備えていることが望ましい。
【００１４】
上記放送補完装置において、
前記端末制御手段は、前記受信状態判別手段が判別した受信状態が前記所定のレベル以下でない場合、前記移動体通信端末におけるコンテンツデータの取得先を、前記配信手段から前記放送に切り替えさせてもよい。
【００１５】
上記放送補完装置において、
前記制御手段は、前記移動体通信端末におけるコンテンツデータの取得を切り替えさせる制御信号を生成し、生成した制御信号を、前記通信ネットワークを介して前記移動体通信端末に送信することが望ましい。
【００１６】
上記目的を達成するため、本発明の第３の観点にかかる移動体通信端末は、
テレビ放送受信機能を備えた移動体通信端末であって、
テレビ放送受信中の前記移動体通信端末の位置を示す位置情報を、通信によって前記テレビ放送を補完する放送補完装置に通信ネットワークを介して随時送信する位置情報送信手段と、
前記テレビ放送の受信レベルを検出する受信レベル検出手段と、
前記受信レベル検出手段の検出結果を示す受信レベル情報を、前記位置情報とともに、前記通信ネットワークを介して前記放送補完装置に送信する受信レベル情報送信手段と、
前記位置情報送信手段が送信した位置情報と、前記受信レベル情報送信手段が送信した受信レベル情報とに基づいて前記放送補完装置から送信された制御信号を、前記通信ネットワークを介して受信する制御信号受信手段と、
前記制御信号受信手段が受信した制御信号に基づいて、前記テレビ放送で放送されているコンテンツデータの受信先を、前記放送補完装置または前記放送に切り替える受信切替手段と、
前記受信切替手段によって前記受信先が前記放送補完装置に切り替えられた場合、前記放送補完装置が前記通信ネットワークを介して配信する前記コンテンツデータを受信して再生するコンテンツ再生手段と、
を備えることを特徴とする。
【００１７】
上記目的を達成するため、本発明の第４の観点にかかるプログラムは、
コンピュータに、
テレビ放送を受信している移動体通信端末の位置を示す位置情報と、受信しているテレビ放送の受信レベルを示す受信レベル情報を、該移動体通信端末から通信ネットワークを介して取得して蓄積する機能と、
前記テレビ放送で放送されているコンテンツデータと同一のコンテンツデータを取得する機能と、
前記移動体通信端末から取得した位置情報と受信レベル情報に基づいて、前記テレビ放送の放送エリア内における受信状態を示す受信状態情報を生成する機能と、
前記移動体通信端末から取得した位置情報に基づいて、該移動体通信端末の移動先を予測する機能と、
生成した前記受信状態情報に基づいて、予測した移動先における前記移動体通信端末の受信状態を判別する機能と、
予測した移動先における前記移動体通信端末の受信状態が所定のレベル以下である場合、前記取得したコンテンツデータと、該移動体通信端末における受信方法を切り替えさせる制御信号とを、前記通信ネットワークを介して当該移動体通信端末に送信する機能と、
を実現させることを特徴とする。
【００１８】
上記目的を達成するため、本発明の第５の観点にかかるプログラムは、
テレビ放送受信機能を有する移動体通信端末を制御するコンピュータに、
テレビ放送受信中の前記移動体通信端末の位置を示す位置情報を、通信によって前記テレビ放送を補完する放送補完装置に通信ネットワークを介して随時送信する機能と、
前記テレビ放送の受信レベルを検出する機能と、
検出した受信レベルを示す受信レベル情報を、前記位置情報とともに、前記通信ネットワークを介して前記放送補完装置に送信する機能と、
送信した前記位置情報と前記受信レベル情報とに基づいて前記放送補完装置から送信された制御信号を、前記通信ネットワークを介して受信する機能と、
受信した前記制御信号に基づいて、前記テレビ放送で放送されているコンテンツデータの受信先を、前記放送補完装置または前記放送に切り替える機能と、
前記コンテンツデータの受信先が前記放送補完装置に切り替えられた場合、前記放送補完装置が前記通信ネットワークを介して配信する前記コンテンツデータを受信して再生する機能と、
を実現させることを特徴とする。
【発明の効果】
【００１９】
本発明によれば、放送エリア内での受信状態が悪化する前に放送から通信による配信に切り替えるので、移動体通信端末での良好なテレビ視聴を実現することができる。
【発明を実施するための最良の形態】
【００２０】
以下、図面を参照して本発明にかかる実施形態を説明する。まず、本実施形態にかかるテレビ受信システムについて図１を参照して説明する。図１は、本実施形態にかかるテレビ受信システム１の構成を模式的に示す図である。
【００２１】
本実施形態にかかるテレビ受信システム１は、移動体通信端末１００を用いてテレビ放送を受信して視聴するためのシステムであり、図１に示すように、移動体通信網１０、交換機２０、基地局３０、放送装置２００、配信装置３００、などから構成される。
【００２２】
移動体通信網１０は、移動体通信サービス事業者（キャリア）によって提供される、いわゆるセルラー通信を実現するための移動体通信網（セルラー網）であり、複数の交換機２０が接続されている。各交換機２０には、複数の基地局３０がさらに接続されており、移動体通信端末１００は近傍の基地局３０と無線通信することで、移動体通信網１０を介した音声通話やデータ通信が実現される。
【００２３】
ここで、本実施形態にかかる移動体通信端末１００は、テレビ番組受信機能を備えているものとする。移動体通信端末１００で受信されるテレビ放送は、放送装置２００から放送される。本実施形態では、モバイル端末用のデジタルテレビ放送の１形態である１セグメント放送によって、テレビ番組等のコンテンツデータが放送装置２００から放送されるものとする。よって、本実施形態における放送装置２００は、地上デジタルテレビ放送波によってテレビ放送するための装置である。
【００２４】
配信装置３００は、移動体通信網１０に接続されており、移動体通信端末１００におけるテレビ放送受信を補完するために、放送装置２００が放送しているテレビ番組と同一のコンテンツを、移動体通信網１０を介して移動体通信端末１００に配信する。なお、本実施形態では、各移動体通信端末１００からテレビ放送の受信状態を取得することで、放送エリア内における局所的な受信状態を把握するとともに、受信状態に応じて各移動体通信端末１００を制御する機能を有する。
【００２５】
このようなテレビ受信システム１の各構成の詳細を以下説明する。まず、本実施形態にかかる移動体通信端末１００について説明する。本実施形態にかかる移動体通信端末１００は、例えば、携帯電話やＰＨＳ（Personal Handyphone System）などといった移動体通信用の端末装置（電話機）である。
【００２６】
本実施形態にかかる移動体通信端末１００は、移動体通信網１０を介しておこなう音声通話やデータ通信などの通信機能を基本機能として有する他、上述したようにテレビ番組受信機能を備えている。本実施形態では、放送装置２００による放送と、配信装置３００による通信によって、移動体通信端末１００のテレビ番組受信機能が実現されるものとする。よって、移動体通信端末１００は、地上デジタルテレビ放送の１形態である１セグメント放送を受信・再生する機能（以下、「放送番組受信機能」とする）と、移動体通信網１０を介して配信される動画像データ（ストリーミングデータ）を受信・再生する機能（以下、「配信番組受信機能」とする）を有する。
【００２７】
本実施形態にかかる移動体通信端末１００の構成を、図２を参照して説明する。図２は移動体通信端末１００の構成を示すブロック図である。
【００２８】
図示するように、移動体通信端末１００は、制御部１１０、無線部１２０、操作部１３０、表示部１４０、音声処理部１５０、記憶部１６０、などから構成される。
【００２９】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１００の各部を制御する。すなわち、移動体通信端末１００の各構成は制御部１１０によって制御されるとともに、各構成間の情報伝達などは制御部１１０を介しておこなわれる。
【００３０】
無線部１２０は、移動体通信端末１００による無線動作をおこなうための装置である。上述したように、本実施形態にかかる移動体通信端末１００は、基本機能である通信機能の他にテレビ番組受信機能を備えている。これらの機能を実現するため、無線部１２０は、通信送受信部１２１と、放送受信部１２５を備えている。
【００３１】
通信送受信部１２１は、例えば、ＣＤＭＡ（Code Division Multiple Access：符号分割多重接続）方式などの通信方式を用いた通信装置などで構成され、当該通信方式に対応したアンテナ１２２による無線送受信をおこなうことで、近傍の基地局３０と無線通信をおこなう。すなわち、通信送受信部１２１により、移動体通信網１０への無線アクセスが実現される。この無線アクセスにより、移動体通信端末１００の音声通話機能が実現される他、配信番組受信機能を含むデータ通信機能が実現される。
【００３２】
放送受信部１２５は、例えば、地上デジタル放送用の受信装置などから構成され、放送装置２００から１セグメント放送によって送信された放送電波を受信する。放送受信部１２５は、所定のチューナ回路や復調回路などを含んでおり、１セグメント放送受信用のアンテナ１２６によって受信される放送電波の復号処理などをおこなうことで、移動体通信端末１００の放送番組受信機能が実現される。
【００３３】
操作部１３０は、移動体通信端末１００の外面上に構成されたボタンやキーなどから構成され、移動体通信端末１００のユーザによって操作される。操作部１３０は、各ボタンやキーなどと接続された入力回路などを備え、ユーザの操作に応じた入力信号を生成して制御部１１０に入力する。本実施形態では、例えば、テレビ視聴機能を起動させる操作や放送チャンネルを選択する操作などが操作部１３０を用いておこなわれる。
【００３４】
表示部１４０は、例えば、液晶表示装置などから構成された表示出力装置であり、制御部１１０の制御によって画像等を表示出力する。本実施形態では、移動体通信端末１００のテレビ視聴機能によって受信されたテレビ番組の動画像などが表示部１４０によって表示出力される。
【００３５】
音声処理部１５０は、例えば、音声データ用のコーデック回路などから構成され、移動体通信端末１００の音声出力にかかる処理をおこなう。すなわち、マイクロフォン１５１から入力されたユーザの発話音声をデジタル音声データに変換して通信送受信部１２１に送出する送話動作や、通信送受信部１２１で受信したデジタル音声データをアナログ音声信号に変換してスピーカ１５２から出力する受話動作などをおこなう他、本実施形態では、通信送受信部１２１および放送受信部１２５によって受信されるテレビ番組の音声データを復号してスピーカ１５２から出力する。
【００３６】
記憶部１６０は、例えば、フラッシュメモリなどの記憶装置から構成され、制御部１１０が実行する動作プログラムを格納する他、本発明を実現するために必要な種々のデータを格納する。本実施形態では、図２に示すように、放送番組格納領域１６１、配信番組格納領域１６２、放送情報格納領域１６３、プログラム格納領域１６４、などの記憶領域が構成される。
【００３７】
放送番組格納領域１６１は、放送受信部１２５によって受信されたテレビ番組のコンテンツデータを格納する。上述したように、本実施形態にかかるテレビ番組受信機能は、デジタル放送である１セグメント放送を受信する。１セグメント放送の場合、通常、MPEG-2システム（ISO/IEC 13818-1）で規定されるトランスポート・ストリーム（Transport Stream：ＴＳ）形式で映像データ、音声データ、付加データが多重化されたパケット（ＴＳパケット）によって放送データが構成されている。本実施形態では、放送受信部１２５が受信したＴＳパケットに含まれているデータが、放送されたテレビ番組のコンテンツデータとして放送番組格納領域１６１に格納される。
【００３８】
放送番組格納領域１６１に格納される情報の例を図３（ａ）に示す。図示するように、放送番組格納領域１６１には、受信した番組毎に一意に割り当てられる番組ＩＤをキーとしたレコードが作成されており、各レコードには、当該番組の番組名を示す情報や当該番組が属するジャンル名を示す情報などが記録される他、再生する映像や音声の実データなどが格納される。
【００３９】
ここで、番組名やジャンル名を示すデータは、ＴＳパケットに多重化された付加データから取得する。本実施形態では、例えば、番組名やジャンル名、その他番組内容や放送時間などを示すＥＰＧ情報（ＥＰＧ：Electronic Program Guide（電子番組ガイド））が、付加データとしてＴＳパケットに多重化されているものとする。
【００４０】
配信番組格納領域１６２は、通信送受信部１２１によって受信されたテレビ番組のストリーミングデータを格納する。配信装置３００によって配信されるストリーミングデータの構成は、放送装置２００が放送する番組データと同様であるものとする。よって、配信番組格納領域１６２に格納される情報は、図３（ａ）に示した放送番組格納領域１６１の例と同様のものとなる。
【００４１】
なお、移動体通信端末１００のテレビ番組受信機能は、受信したテレビ放送をリアルタイムに再生できることはもとより、録画による再生も可能であるものとする。ここで、リアルタイムに再生する場合、受信した番組データは、例えば、番組放送時間に合わせて一時的に放送番組格納領域１６１もしくは配信番組格納領域１６２に格納されるものとする。また、録画の場合は、受信した番組データは、例えば、所定の消去指示があるまで放送番組格納領域１６１もしくは配信番組格納領域１６２に格納されるものとする。
【００４２】
放送情報格納領域１６３は、移動体通信端末１００で受信可能なテレビ放送を受信するために必要な情報を格納する。例えば、図３（ｂ）に示すような、地域毎に設定されている放送エリア毎の放送チャンネル（放送局）と周波数の対応表（以下、「チャンネル表」とする）や、図３（ｃ）に示すような、受信可能な放送エリアで放送されている番組を示すリスト（以下、「番組表」とする）、などが格納される。このうち、チャンネル表については、例えば、複数の放送エリアのチャンネル表が予め放送情報格納領域１６３に格納されているものとする。一方、番組表については、例えば、移動体通信端末１００の現在地が該当する放送エリアでの番組表を、当該エリアの基地局３０から取得して放送情報格納領域１６３に格納する。
【００４３】
なお、本実施形態では、各チャンネル（放送局）の放送装置２００に対応する配信装置３００にアクセスするためのアドレス情報（例えば、ＵＲＬ（Uniform Resource Locator）やＩＰアドレスなど）が、放送情報格納領域１６３に格納されているチャンネル表に含まれているものとする。
【００４４】
プログラム格納領域１６４は、制御部１１０が実行するプログラムを格納するための領域である。プログラム格納領域１６４には、移動体通信端末１００全体の動作を制御するための基本ソフトウェア（いわゆる、ＯＳ）や、移動体通信端末１００の種々の機能を実現するためのアプリケーションソフトウェアなどが格納される。
【００４５】
本実施形態では、制御部１１０がプログラム格納領域１６４に格納されているプログラムを実行することで、本実施形態にかかる処理を実行するために必要な機能構成が実現される。制御部１１０によって実現される機能構成を図４に示す。図４は、制御部１１０によって実現される機能構成を示す機能ブロック図である。
【００４６】
図示するように、制御部１１０は、アプリケーション処理部１１１、位置情報処理部１１２、放送情報取得部１１３、放送番組受信部１１４、受信状態通知部１１５、受信切替部１１６、配信番組受信部１１７、再生処理部１１８、などとして機能する。
【００４７】
アプリケーション処理部１１１は、移動体通信端末１００のテレビ番組受信機能を実現するアプリケーションを実行し、テレビ番組を視聴するためのインタフェースとなる画面を表示部１４０に表示する他、操作部１３０によるユーザ操作を受け付け、操作に応じた動作を制御する。
【００４８】
位置情報処理部１１２は、通信送受信部１２１との協働により、移動体通信端末１００における通常の位置登録動作をおこなうとともに、テレビ番組受信機能を実行している間は、取得した位置情報を配信装置３００に送信する。すなわち、近傍の基地局３０が発信しているページングエリア情報ＰＡを取得し、現在保存しているページングエリア情報ＰＡと同じでなければ、取得の情報ＰＡを保存しているＰＡに代えて保存すると共に、位置情報として配信装置３００に送信する。
【００４９】
放送情報取得部１１３は、通信送受信部１２１との協働により、移動体通信端末１００の現在位置においてテレビ放送を受信するために必要な情報を基地局３０から取得する。本実施形態では、当該位置が該当する放送エリアを示す情報や、その放送エリアで放送される番組を示した番組表情報などを取得する。放送情報取得部１１３は、取得した放送情報を記憶部１６０の放送情報格納領域１６３に格納する。
【００５０】
放送番組受信部１１４は、放送受信部１２５との協働により、放送装置２００によって放送されているテレビ番組を受信し、放送されているテレビ番組のコンテンツデータを取得して、記憶部１６０の放送番組格納領域１６１に格納する。
【００５１】
受信状態通知部１１５は、放送番組受信部１１４によって受信しているテレビ放送の受信状態（受信レベル）を検知し、位置情報処理部１１２との協働によって、検知した受信レベルを示す情報（以下、「受信レベル情報」とする）を、そのときの位置情報とともに移動体通信網１０を介して配信装置３００に送信して通知する。本実施形態では、受信レベルとして、例えば、放送番組受信部１１４（放送受信部１２５）による受信時の受信電界強度をモニタするものとし、電界強度に変化があったときに、その電界強度を示す情報を配信装置３００に通知するものとする。
【００５２】
受信切替部１１６は、通信送受信部１２１と協働し、配信装置３００が送信する制御信号を、移動体通信網１０を介して取得し、取得した制御信号に応じて、テレビ番組の受信方法を切り替える。本実施形態では、放送による受信と通信による受信とを切り替えるものとする。すなわち、放送されているコンテンツの取得先（受信先）を、放送（放送装置２００）から配信装置３００に切り替える他、配信装置３００から放送（放送装置２００）に切り替える。
【００５３】
配信番組受信部１１７は、通信送受信部１２１との協働により、放送番組受信部１１４によって受信していたテレビ番組と同じコンテンツのストリームデータを、移動体通信網１０を介して配信装置３００から受信する。
【００５４】
再生処理部１１８は、表示部１４０や音声処理部１５０と協働し、放送番組受信部１１４または配信番組受信部１１７によって受信したテレビ番組のコンテンツデータを再生する処理をおこない、表示部１４０と音声処理部１５０に映像および音声を出力させる。
【００５５】
本実施形態では、再生処理部１１８によって、例えば、H.264/AVCなどの画像圧縮符号化方式やMPEG-2 AACなどの音声圧縮符号化方式に対応したデコード動作がおこなわれる。再生処理部１１８によるこのようなデコード動作は、既存のデータ符号化技術に基づいて実現されるものとする。再生処理部１１８は、デコードした映像信号を表示部１４０に送出してテレビ映像を表示出力するとともに、デコードした音声信号を音声処理部１５０に送出してテレビ音声を報音出力する。
【００５６】
本実施形態では、制御部１１０がプログラムを実行することによって、上記機能構成が論理的に実現されるものとするが、これらの機能を、例えば、ＡＳＩＣ（Application Specific Integrated Circuit：特定用途向け集積回路）などの物理的な構成によって実現してもよい。特に、再生処理部１１８による映像データ及び／又は音声データのデコード機能については、専用回路によるハードウェア処理でおこなってもよい。この場合、音声データのデコードについては音声処理部１５０がおこなうようにしてもよい。
【００５７】
なお、上記各構成は、移動体通信端末１００によって本発明を実現するために必要な主要な構成であり、移動体通信端末として必要なその他の構成については、必要に応じて備えられているものとする。
【００５８】
次に放送装置２００および配信装置３００の構成を、図５を参照して説明する。上述したように、放送装置２００は、移動体通信端末１００で受信可能なテレビ放送電波を送信して放送するための装置であり、各放送局などによって運用される。このような放送装置２００は、図５に示すように、放送コンテンツサーバ２１０、放送データ送信部２２０、などから構成される。
【００５９】
放送コンテンツサーバ２１０は、例えば、メインフレームやワークステーションなどのコンピュータ装置から構成され、放送するテレビ番組のコンテンツデータを蓄積し、放送データ送信部２２０からの要求に応じて、コンテンツデータを放送データ送信部２２０に送出する。
【００６０】
放送データ送信部２２０は、例えば、所定の放送スケジュールに基づいて、放送する番組のコンテンツデータを放送コンテンツサーバ２１０に要求して取得する。放送データ送信部２２０は、放送コンテンツサーバ２１０から送出されたコンテンツデータをデジタル放送用のデータに変換する。本実施形態では、放送コンテンツサーバ２１０から取得した映像データや音声データ、その他任意に取得される付加データをトランスポート・ストリーム形式でパケット化し放送設備ＢＦに送出する。
【００６１】
放送設備ＢＦは、放送データ送信部２２０から送信されたＴＳパケットを、例えば、ＯＦＤＭ（Orthogonal Frequency Division Multiplexing：直交周波数分割多重）変調などの変調方式で変調した電波を放送出力する。このとき、放送設備ＢＦは、地上デジタルテレビ放送用の放送波（例えば、ＨＤＴＶ（High Definition Television）放送波やＳＤＴＶ（Standard Definition Television）放送波）の１チャンネル分の帯域をセグメントと呼ばれる１３個のブロックに分割し、その１つのセグメントの周波数で出力する（いわゆる、「１セグメント（１セグ）放送」）。
【００６２】
また、放送データ送信部２２０は、例えば、専用ネットワークなどを介して配信装置３００と接続され、放送しているテレビ番組のコンテンツデータを配信装置３００に提供する。ここで、放送データ送信部２２０が生成するＴＳパケットには、放送データ送信部２２０のクロックが発生する時刻情報に基づいた、例えば、ＰＣＲ（Program Clock Reference：番組時刻基準値情報）などの同期情報が多重化されているものとする。また、放送データ送信部２２０は、放送している番組のＴＳパケットに多重化した同期情報が示す値を、随時配信装置３００に通知する。
【００６３】
次に配信装置３００について説明する。配信装置３００は、放送装置２００のデジタル放送で放送されているテレビ番組と同一のコンテンツを、移動体通信網１０を介して移動体通信端末１００にストリーミング配信する装置である。本実施形態では、放送装置２００による移動体通信端末１００への放送を補完するために、配信装置３００が同一コンテンツの配信をおこなうものとする。よって、配信装置３００は、例えば、放送装置２００を運用する放送局、もしくは、当該放送局と契約した事業者などによって運用される。
【００６４】
また、本実施形態にかかる配信装置３００は、放送装置２００の放送を受信している複数の移動体通信端末１００から、受信レベル情報と位置情報を取得し、放送装置２００の放送エリアにおける受信状態を示すマップを生成し、生成したマップに基づいて、各移動体通信端末１００の受信状態の変化を予測し、受信状態の悪化が予測される移動体通信端末１００に対しては、放送による受信から通信による受信に切り替えさせる。
【００６５】
このような配信装置３００の構成を、図５を参照して説明する。図示するように、配信装置３００は、コンテンツデータ取得部３１０、端末送信部３２０、端末受信部３３０、中央制御装置３４０、記憶装置３５０、などから構成される。
【００６６】
コンテンツデータ取得部３１０は、放送装置２００の放送データ送信部２２０と接続し、放送装置２００で放送しているテレビ番組と同一のコンテンツデータを放送データ送信部２２０から取得して記憶装置３５０に格納する。
【００６７】
端末送信部３２０は、例えば、移動体通信網１０と接続される通信装置などから構成され、コンテンツデータ取得部３１０が放送装置２００から取得して記憶装置３５０に格納したテレビ番組のコンテンツデータを、中央制御装置３４０の制御に基づき、移動体通信網１０を介して移動体通信端末１００に配信する他、移動体通信端末１００での受信方法を切り替えさせる制御信号を該当する移動体通信端末１００に対し、移動体通信網１０を介して送信する。
【００６８】
端末受信部３３０は、例えば、移動体通信網１０と接続される通信装置などから構成され、放送装置２００が放送しているテレビ番組を受信している移動体通信端末１００から送信される情報を、移動体通信網１０を介して受信して中央制御装置３４０に入力する。本実施形態では、各移動体通信端末１００が送信する位置情報や受信レベル情報などを取得する。
【００６９】
中央制御装置３４０は、例えば、メインフレームやワークステーションなどのコンピュータ装置から構成され、上述した配信装置３００の機能を実現するための各処理を実行する。すなわち、中央制御装置３４０は、少なくとも、ＣＰＵなどから構成される制御部３４１や、制御部３４１が実行するプログラムなどを格納した記憶部３４２などを備えており、記憶部３４２に格納されているプログラムを制御部３４１が実行することで、図６に示すような機能が実現される。図６は、制御部３４１によって実現される機能を示す機能ブロック図である。
【００７０】
図示するように、制御部３４１は、端末情報管理部３４３、受信状態判別部３４４、受信状態マップ作成部３４５、端末位置予測部３４６、受信切替制御部３４７、コンテンツ配信部３４８、などとして機能する。
【００７１】
端末情報管理部３４３は、端末受信部３３０や記憶装置３５０との協働により、配信装置３００による補完的なテレビ番組配信を利用する移動体通信端末１００についての情報（以下、「端末情報」とする）を取得して記憶装置３５０に蓄積する。本実施形態では、各移動体通信端末１００を特定する情報（例えば、移動体通信端末１００にアクセスするための一意のアドレス情報（電話番号、ＩＰアドレス、電子メールアドレス、など））と、当該移動体通信端末１００から取得した位置情報や受信レベル情報などとを対応づけた端末情報を蓄積し、放送装置２００の放送を受信している移動体通信端末１００の状態を随時把握する。
【００７２】
受信状態判別部３４４は、端末受信部３３０や記憶装置３５０との協働により、端末受信部３３０が受信した各移動体通信端末１００の位置情報と受信レベル情報に基づいて、放送エリア内の各位置における受信状態を判別する。本実施形態では、移動体通信端末１００における電界強度を、例えば、５段階（レベル１〜レベル５）にレベル分けし（ここでは、電界強度が最も弱い区分をレベル１、最も強い区分をレベル５とする）、放送エリア内の各位置の受信状態がどのレベルにあてはまるか判別する。本実施形態では、例えば、レベル５〜レベル３までは受信状態が良好である範囲とし、レベル２〜レベル１は、再生品質に影響がでるような良好ではない受信状態レベルとする。
【００７３】
受信状態マップ作成部３４５は、受信状態判別部３４４による受信状態のレベル判別に基づいて、受信状態レベルの分布を示すマップ（以下、「受信状態マップ」とする）を作成して記憶装置３５０に格納する。この受信状態マップは、例えば、図７（ｂ）に示すように、放送エリアを示すマップ（地図）上で、受信状態レベルの分布を示したものである。このような受信状態マップの生成において、受信状態マップ作成部３４５は、図７（ｃ）に示すような、放送エリア内の複数の位置情報（例えば、緯度経度情報）とその位置での受信状態レベルを示す情報とを対応づけた受信状態マップテーブルを作成し、この受信状態マップテーブルの内容に応じた受信状態マップを作成する。作成された受信状態マップテーブルや受信状態マップは、記憶装置３５０に格納される。
【００７４】
端末位置予測部３４６は、端末情報管理部３４３によって記憶装置３５０に随時格納されている、各移動体通信端末１００の位置情報に基づいて、各移動体通信端末１００の移動先を予測する。本実施形態では、各移動体通信端末１００についての位置情報の履歴に基づいて、各移動体通信端末１００の移動方向を予測する。
【００７５】
受信切替制御部３４７は、端末位置予測部３４６によって予測された各移動体通信端末１００の移動方向と、記憶装置３５０に格納されている受信状態マップとに基づいて、予測される移動方向の受信状態レベルがいずれであるか判別する。そして、判別された受信状態レベルに応じて、当該移動体通信端末１００で現在受信しているテレビ番組の受信方法を切り替えさせる制御信号を生成して端末送信部３２０に送信させる。この制御信号により、移動体通信端末１００におけるコンテンツデータの取得先（受信先）を、放送（放送装置２００）から配信装置３００に切り替えさせる他、配信装置３００から放送（放送装置２００）に切り替えさせる。
【００７６】
コンテンツ配信部３４８は、受信切替制御部３４７によってコンテンツデータの取得先が放送（放送装置２００）から配信装置３００に切り替えられた移動体通信端末１００に対し、放送から取得していたコンテンツデータと同一のコンテンツデータを配信する。すなわち、コンテンツデータ取得部３１０によって放送装置２００から取得されて記憶装置３５０に格納されているコンテンツデータを移動体通信端末１００に配信する。この場合、コンテンツ配信部３４８は、端末送信部３２０を制御し、移動体通信網１０を介して移動体通信端末１００に配信する。
【００７７】
本実施形態では、上記機能構成を中央制御装置３４０がプログラムを実行することで実現させるものとするが、これらの機能構成を、例えば、ＡＳＩＣなどのハードウェア構成にて実現してもよい。
【００７８】
記憶装置３５０は、例えば、ハードディスク装置やデータベース装置などの記憶装置から構成され、中央制御装置３４０での処理結果などを格納して蓄積する。図５に示すように、記憶装置３５０には、端末情報格納領域３５１、受信状態情報格納領域３５２、コンテンツデータ格納領域３５３、などの記憶領域が用意されており、各記憶領域に所定のデータが格納される。
【００７９】
端末情報格納領域３５１は、端末情報管理部３４３の制御により、各移動体通信端末１００から取得された端末情報を格納する。端末情報格納領域３５１に格納される情報の例を図７（ａ）に示す。図示するように、端末情報格納領域３５１には、各移動体通信端末１００を特定する一意の識別情報（以下、「端末ＩＤ」とする）をキーとしたレコードが作成されており、各レコードには、当該移動体通信端末１００から取得した位置情報の履歴や受信レベル情報（電界強度）などが記録される。
【００８０】
受信状態情報格納領域３５２は、受信状態マップ作成部３４５によって作成される受信状態マップテーブルおよび受信状態マップを格納する。すなわち、図７（ｃ）に示すような受信状態マップテーブルを構成するデータを格納するとともに、図７（ｂ）に示すような受信状態マップを構成する画像データなどを格納する。
【００８１】
コンテンツデータ格納領域３５３は、コンテンツデータ取得部３１０が放送装置２００から取得した放送番組のコンテンツデータを格納する。よって、図７（ａ）に示した例と同様の情報がコンテンツデータ格納領域３５３に格納される。
【００８２】
以上のような構成を有するテレビ受信システム１の動作を以下説明する。まず、移動体通信端末１００においてテレビ放送を受信して視聴する際に実行されるテレビ放送受信処理を、図８に示すフローチャートを参照して説明する。このテレビ放送受信処理は、例えば、ユーザが操作部１３０を操作することにより、移動体通信端末１００のテレビ番組受信機能の実行が指示されたことを契機に開始されるものとする。この場合、操作部１３０からの入力信号に応じてアプリケーション処理部１１１がテレビ番組受信機能のアプリケーションを実行する。
【００８３】
処理が開始されると、アプリケーション処理部１１１はまず、放送情報取得部１１３に、現在位置における番組表の取得を指示する。アプリケーション処理部１１１からの指示に応じて、放送情報取得部１１３は通信送受信部１２１を制御し、近傍の基地局３０が発信している番組表情報を取得して放送情報格納領域１６３に格納する（ステップＳ１０１）。
【００８４】
取得した番組表情報を放送情報格納領域１６３に格納すると、放送情報取得部１１３は、その旨をアプリケーション処理部１１１に通知する。放送情報取得部１１３からの通知に応じて、アプリケーション処理部１１１は放送情報格納領域１６３にアクセスし、取得された番組表情報を表示部１４０に表示する（ステップＳ１０２）。
【００８５】
移動体通信端末１００のユーザは、操作部１３０を操作し、表示された番組表から視聴を所望する番組を選択する（すなわち、選局）。この場合、選択動作に応じた入力信号が操作部１３０から制御部１１０に入力される。本実施形態では、ここで選局されたチャンネルの放送を放送装置２００がおこなうものとして以下説明する。
【００８６】
操作部１３０からの入力信号に基づき、アプリケーション処理部１１１は選局操作があったと判別すると、放送番組受信部１１４に、選局されたチャンネルの受信を指示する。アプリケーション処理部１１１からの指示に応じて、放送番組受信部１１４は放送受信部１２５を制御し、選局されたチャンネルの受信を開始する（ステップＳ１０３）。この場合、放送番組受信部１１４は、放送情報格納領域１６３に格納されているチャンネル表情報を参照し、受信すべき周波数などを放送受信部１２５に指示する。
【００８７】
テレビ放送の受信が開始されると、放送番組受信部１１４は、その旨をアプリケーション処理部１１１に通知する。また、放送番組受信部１１４は、放送受信部１２５が受信する放送番組のＴＳパケットデータを順次放送番組格納領域１６１に格納する。アプリケーション処理部１１１は、放送番組受信部１１４からの通知に応じて、再生処理部１１８に、受信したテレビ番組の再生を指示する。再生処理部１１８は、アプリケーション処理部１１１からの指示に応じて、放送番組格納領域１６１にアクセスし、格納されたＴＳパケットデータを順次デコードすることで、表示部１４０に映像を出力させ、音声処理部１５０に音声を出力させる。これにより、放送装置２００が放送しているテレビ番組の再生が開始される（ステップＳ１０４）。
【００８８】
受信したテレビ放送の再生が開始されると、再生処理部１１８は、その旨をアプリケーション処理部１１１に通知する。アプリケーション処理部１１１は、受信している放送電波の電界強度の検出を受信状態通知部１１５に指示するとともに、位置情報処理部１１２に位置情報の取得を指示する。このとき、アプリケーション処理部１１１は、現在受信しているチャンネル（放送局）の放送装置２００に対応する配信装置３００のアドレス情報と受信している番組を示す情報（番組情報）を、放送情報格納領域１６３のチャンネル表および番組表から取得して、位置情報処理部１１２に通知する。
【００８９】
アプリケーション処理部１１１からの指示に応じて、位置情報処理部１１２は、通信送受信部１２１を制御し、近傍の基地局３０が発信している位置情報（ページングエリア情報ＰＡ）を取得して、記憶部１６０などに保存する（ステップＳ１０５）。位置情報処理部１１２は、このようにして位置情報を取得すると、通信送受信部１２１を制御し、アプリケーション処理部１１１から通知されたアドレス情報に基づき、移動体通信網１０を介して配信装置３００にアクセスする。このとき、受信状態通知部１１５は、放送受信部１２５における受信レベル（電界強度）を検出し（ステップＳ１０６）、検出内容を示す受信レベル情報を位置情報処理部１１２に通知する。位置情報処理部１１２は、取得した位置情報、受信レベル情報、番組情報、および、移動体通信端末１００の端末ＩＤ（以下、「端末通知情報」とする）を配信装置３００に送信する（ステップＳ１０７）。
【００９０】
その後、再生処理部１１８の処理により、放送受信部１２５が受信する放送番組の再生出力が継続される。この過程において、位置情報処理部１１２は、通常の位置登録動作を定期的におこなう。すなわち、近傍の基地局３０と随時通信をおこなって位置情報を取得する。ここで、移動体通信端末１００が移動していなければ、同じ基地局３０と通信することになるが、移動体通信端末１００が移動している場合、移動に応じて近傍の基地局３０が変わる場合がある。この場合、位置情報処理部１１２が取得する位置情報（ページングエリア情報ＰＡ）と、記憶部１６０などに既に保存してある位置情報（ページングエリア情報ＰＡ）とが異なることになる。
【００９１】
このように、取得した位置情報が変化した場合（ステップＳ１０８：Ｎｏ）、位置情報処理部１１２は、その旨をアプリケーション処理部１１１に通知する。位置情報処理部１１２からの通知に応じて、アプリケーション処理部１１１は、受信レベルの検出動作を受信状態通知部１１５に指示する。これにより、受信状態通知部１１５は、その時点で放送受信部１２５が受信している放送電波の強度（受信レベル）を検出して（ステップＳ１０６）、位置情報処理部１１２に通知する。
【００９２】
受信状態通知部１１５から受信レベル情報が通知されると、位置情報処理部１１２は通信送受信部１２１を制御して配信装置３００にアクセスし、取得した受信レベル情報と変化後の位置情報、および、移動体通信端末１００の端末ＩＤ（端末通知情報）を、移動体通信網１０を介して送信する（ステップＳ１０７）。
【００９３】
そして、位置情報の変化がなく（ステップＳ１０８：Ｙｅｓ）、かつ、放送番組の受信・再生中に、配信装置３００が送信する制御信号の受信がなければ（ステップＳ１０９：Ｙｅｓ）、所定の終了指示（例えば、操作部１３０を操作することによるテレビ受信機能の終了指示など）があるまで、ステップＳ１０３以降の処理が繰り返し実行される（ステップＳ１１０：Ｎｏ）。すなわち、放送装置２００が放送するテレビ番組の受信・再生が継続される。そして、取得する位置情報に変化があれば、位置情報と受信レベル情報を随時配信装置３００に送信する。
【００９４】
一方、このように放送番組を受信・再生している間に、配信装置３００が送信した制御信号を通信送受信部１２１が受信すると（ステップＳ１０９：Ｎｏ）、受信方法を切り替えるための受信切替処理が受信切替部１１６によって実行される（ステップＳ５００）。この受信切替処理の詳細は後述する。
【００９５】
そして、所定の終了指示があると（ステップＳ１１０：Ｙｅｓ）、アプリケーション処理部１１１は、位置情報処理部１１２に、配信装置３００への終了通知を指示する。アプリケーション処理部１１１からの指示に応じて、アプリケーション処理部１１１は、通信送受信部１２１を制御し、移動体通信端末１００におけるテレビ受信を終了する旨を通知する情報（以下、「終了通知情報」とする）と端末ＩＤを、移動体通信網１０を介して配信装置３００に送信し（ステップＳ１１１）、処理を終了する。
【００９６】
次に、上記テレビ放送受信処理によって移動体通信端末１００がアクセスした配信装置３００の動作を以下説明する。ここでは、上記テレビ放送受信処理のステップＳ１０７で移動体通信端末１００が送信した端末通知情報を受信したことを契機に、中央制御装置３４０がテレビ放送補完処理を実行する。この場合、移動体通信端末１００が移動体通信網１０を介して送信した端末通知情報（端末ＩＤ、位置情報、および、受信レベル情報）を、端末受信部３３０が受信することで、移動体通信端末１００からのアクセスが確立する。このテレビ放送補完処理を、図９に示すフローチャートを参照して説明する。
【００９７】
処理が開始されると、端末情報管理部３４３は、端末情報格納領域３５１にアクセスし、移動体通信端末１００から送信された端末ＩＤをキーとしたレコードを作成し、作成したレコードに、取得した端末通知情報（位置情報と受信レベル情報）を格納する（ステップＳ２０１）。
【００９８】
このようにして端末情報格納領域３５１に新規レコードを作成すると、端末情報管理部３４３は、作成したレコードのキーとなっている端末ＩＤを受信状態判別部３４４に通知する。この場合、受信状態判別部３４４は、移動体通信端末１００から取得した位置情報と受信レベル情報に基づいて、当該放送エリアの受信状態情報（受信状態マップテーブルおよび受信状態マップ）を更新するためのマップ更新処理を実行する（ステップＳ３００）。このマップ更新処理を、図１０に示すフローチャートを参照して説明する。
【００９９】
処理が開始されると、受信状態判別部３４４は、端末情報格納領域３５１にアクセスし、端末情報管理部３４３から通知された端末ＩＤがキーとなっているレコードから位置情報と受信レベル情報を取得する。
【０１００】
受信状態判別部３４４は、取得した受信レベル情報が示す電界強度が該当する受信状態レベル（レベル１〜レベル５）を特定する（ステップＳ３０１）。
【０１０１】
次に受信状態判別部３４４は、受信状態情報格納領域３５２の受信状態マップテーブルにアクセスし、移動体通信端末１００から取得された位置情報に該当するレコードがあるか否かを判別する（ステップＳ３０２）。
【０１０２】
取得した位置情報に該当するレコードが受信状態マップテーブルになく、新規の位置情報である場合（ステップＳ３０２：Ｎｏ）、受信状態判別部３４４は、受信状態マップテーブルに、取得した位置情報を示す新規レコードを作成する（ステップＳ３０３）。この場合、受信状態判別部３４４は、作成したレコードに、ステップＳ３０１で特定した受信状態レベルを示す情報を格納する（ステップＳ３０４）。
【０１０３】
一方、取得した位置情報に該当するレコードが、既に受信状態マップテーブルにある場合（ステップＳ３０２：Ｙｅｓ）、受信状態判別部３４４は、当該レコードに記録されている受信状態レベルと、ステップＳ３０１で特定した受信状態レベルとを比較し（ステップＳ３０５）、受信状態レベルに変化があるか否かを判別する（ステップＳ３０６）。
【０１０４】
ここで、受信状態レベルに変化がある場合（ステップＳ３０６：Ｙｅｓ）は、移動体通信端末１００から取得した受信状態レベルに更新する（ステップＳ３０７）。
【０１０５】
受信状態マップテーブルに新規レコードを作成した場合と、受信状態マップテーブルの受信レベルを更新した場合、受信状態判別部３４４はその旨を受信状態マップ作成部３４５に通知する。
【０１０６】
受信状態マップ作成部３４５は、受信状態情報格納領域３５２に格納されている受信状態マップを取得し、新規に作成されたレコードもしくは受信レベルが更新されたレコードが示す位置情報に対応する位置に、新規に登録されたもしくは更新された受信レベルをプロットすることで、受信状態マップを更新して（ステップＳ３０８）、図９に示すテレビ放送補完処理のフローに戻る。なお、受信レベルに変化がない場合（ステップＳ３０６：Ｎｏ）は、受信状態マップを更新せずにテレビ放送補完処理のフローに戻る。
【０１０７】
図９に戻り、テレビ放送補完処理の説明を続ける。上記テレビ放送受信処理（図８）のフローにおけるステップＳ１０７の処理で、移動体通信端末１００が２回目以降に送信した端末通知情報を端末受信部３３０が受信すると（ステップＳ２０２：Ｙｅｓ）、端末情報管理部３４３は、上述したステップＳ２０１の処理で作成した端末情報格納領域３５１のレコードに、取得した位置情報と受信レベル情報を追加する（ステップＳ２０３）。
【０１０８】
この場合、新たに取得した位置情報と受信レベル情報に基づいて、受信状態判別部３４４がマップ更新処理を再度実行する（ステップＳ３００：図１０参照）。
【０１０９】
また、移動体通信端末１００について複数の位置情報が端末情報格納領域３５１に記録されたので、複数の位置情報に基づき、移動体通信端末１００の移動先を端末位置予測部３４６が予測する（ステップＳ２０４）。ここでは、移動体通信端末１００の位置の遷移を位置情報から求め、移動体通信端末１００の移動方向を予測する。
【０１１０】
移動体通信端末１００の移動方向が求められると、端末位置予測部３４６は、移動体通信端末１００の現在位置と予測した移動方向を、受信切替制御部３４７に通知する。受信切替制御部３４７は、受信状態情報格納領域３５２に格納されている受信状態マップにアクセスし、予測された移動先に該当する受信レベルがいずれであるかを特定する（ステップＳ２０５）。
【０１１１】
ここで、受信切替制御部３４７は、ステップＳ２０５での特定された受信レベルに応じて、移動体通信端末１００でのコンテンツデータの取得先を切り替えさせるための切替制御処理を実行する（ステップＳ４００）。この切替制御処理を、図１１に示すフローチャートを参照して説明する。
【０１１２】
処理が開始されると、受信切替制御部３４７は、移動体通信端末１００の現在位置の受信状態レベルが、放送を良好に受信できるレベル３以上であるか否かを判別する（ステップＳ４０１）。
【０１１３】
現在位置の受信状態レベルがレベル３以上である場合（ステップＳ４０１：Ｙｅｓ）、受信切替制御部３４７は、ステップＳ２０５で特定した受信状態レベル、すなわち予測された移動体通信端末１００の移動先における受信状態レベルが、良好ではないレベルであるレベル２以下であるか否かを判別する（ステップＳ４０２）。
【０１１４】
予測された移動体通信端末１００の移動先の受信状態レベルがレベル２以下である場合（ステップＳ４０２：Ｙｅｓ）、受信切替制御部３４７は、コンテンツデータの取得先を放送から通信に切り替えさせるための制御信号を生成し（ステップＳ４０３）、端末送信部３２０を制御することで、生成した制御信号を、移動体通信網１０を介して移動体通信端末１００に送信する（ステップＳ４０４）。
【０１１５】
すなわち、受信状態レベルがレベル２以下となるエリアに移動体通信端末１００が移動することが予測される場合、配信装置３００は、当該移動体通信端末１００がそのエリアに移動する前に、コンテンツデータの取得先を放送から通信に切り替えさせる制御信号を送信する。
【０１１６】
この場合、コンテンツ配信部３４８は、放送装置２００が現在放送しているコンテンツデータ（すなわち、移動体通信端末１００が放送装置２００から取得しているコンテンツデータ）と同一のコンテンツデータを、コンテンツデータ格納領域３５３から取得し、移動体通信網１０を介して移動体通信端末１００に配信するよう端末送信部３２０に指示する。
【０１１７】
この場合、コンテンツ配信部３４８は、放送データ送信部２２０からその時点で通知された同期情報が多重化されているパケット以降のパケットに該当するコンテンツデータ（ストリーミングデータ）を取得して端末送信部３２０に供給する。コンテンツ配信部３４８からの指示に応じて、端末送信部３２０は、移動体通信網１０を介して移動体通信端末１００にアクセスすると、供給されたコンテンツデータを順次移動体通信端末１００へ送信し（ステップＳ４０５）、図９に示すテレビ放送補完処理のフローに戻る。
【０１１８】
すなわち、予測される移動体通信端末１００の移動先の受信レベルがレベル２以下である場合、放送装置２００で放送中の番組と同一のコンテンツデータが移動体通信端末１００に対してストリーミング配信される。このように、本実施形態では、受信レベルがレベル２以下の場所に位置する移動体通信端末１００に対しては、良好な放送受信が期待できないため、配信装置３００によるストリーミング配信によって、移動体通信端末１００でのテレビ番組の受信を補完する。
【０１１９】
よって、移動体通信端末１００の現在位置における受信レベルがレベル２以下である場合（ステップＳ４０１：Ｎｏ）、その移動体通信端末１００では、配信装置３００からのストリーミング配信によってテレビ番組を視聴していることになる。この場合、受信切替制御部３４７は、ステップＳ２０５で特定された受信レベル、すなわち予測される移動体通信端末１００の移動先での受信レベルが、良好な状態を示すレベル３以上であれば（ステップＳ４０６：Ｙｅｓ）、コンテンツデータの取得先を通信から放送に切り替えさせる制御信号を生成し（ステップＳ４０７）、端末送信部３２０から移動体通信網１０を介して移動体通信端末１００に送信する（ステップＳ４０８）。
【０１２０】
この場合、受信切替制御部３４７は、移動体通信端末１００へのストリーミング配信を終了するようコンテンツ配信部３４８に指示する。この場合、コンテンツ配信部３４８は、端末送信部３２０を制御して移動体通信端末１００へのストリーミング配信を終了し（ステップＳ４０９）、図９に示すテレビ放送補完処理のフローに戻る。
【０１２１】
また、現在位置における受信状態レベルと、予測された移動後の受信状態レベルのいずれもがレベル３以上である場合（ステップＳ４０１：Ｙｅｓ、ステップＳ４０２：Ｎｏ）、移動体通信端末１００が移動しても受信状態が悪化しないので、移動体通信端末１００で良好な放送受信をおこなうことができる。よって、この場合は、移動体通信端末１００に対する切替制御をおこなわずに処理を終了し、図９に示すテレビ放送補完処理のフローに戻る。
【０１２２】
同様に、現在位置における受信状態レベルと、予測された移動後の受信状態レベルのいずれもがレベル２以下である場合（ステップＳ４０１：Ｎｏ、ステップＳ４０６：Ｎｏ）、放送電波の受信状態が良好でない状態が継続するので、移動体通信網１０を介した配信によるテレビ番組受信を継続する必要がある。よって、この場合は、通信から放送への切替制御をおこなわずに処理を終了し、図９に示すテレビ放送補完処理のフローに戻る。
【０１２３】
図９に戻り、テレビ放送補完処理の説明を続ける。上述したような切替制御処理から戻ると、制御部３４１は、移動体通信端末１００から終了通知情報を受信するまで、ステップＳ２０２以降の処理を繰り返し実行する（ステップＳ２０６：Ｎｏ）。すなわち、移動体通信端末１００から位置情報と受信レベル情報を随時取得し、受信レベル情報に基づいて受信状態マップを更新するとともに、位置情報の履歴から移動体通信端末１００の移動方向を予測し、移動体通信端末１００の現在位置の受信状態レベルと移動先の受信状態レベルに基づいて、移動体通信端末１００に対する切替制御をおこなう。
【０１２４】
そして、移動体通信端末１００でのテレビ受信機能の終了に伴って送信される終了通知情報（ステップＳ１１１（図８参照））を端末受信部３３０が受信すると（ステップＳ２０６：Ｙｅｓ）、端末情報管理部３４３は端末情報格納領域３５１にアクセスし、当該移動体通信端末１００についてのレコードを削除して（ステップＳ２０７）、処理を終了する。
【０１２５】
次に、上述した切替制御処理によって、配信装置３００が制御信号を移動体通信端末１００に送信した場合に移動体通信端末１００が実行する受信切替処理（ステップＳ５００（図８参照））を、図１２に示すフローチャートを参照して説明する。この受信切替処理は、切替制御処理（図１１）のステップＳ４０４もしくはステップＳ４０８で送信された制御信号を、移動体通信端末１００の通信送受信部１２１が受信したことを契機に開始される（ステップＳ１０９：Ｎｏ（図８参照））。この場合、通信送受信部１２１は、受信した制御信号を制御部１１０に入力する。
【０１２６】
処理が開始されると、受信切替部１１６は、受信した制御信号を分析し、受信方法を放送から通信に切り替える制御信号であるか、通信から放送に切り替える制御信号であるかを判別する（ステップＳ５０１）。
【０１２７】
放送から通信に切り替える制御信号である場合（ステップＳ５０１：Ｙｅｓ）、受信切替部１１６は、移動体通信網１０を介して配信されるコンテンツデータの受信開始を配信番組受信部１１７に指示する。この場合、配信番組受信部１１７は、通信送受信部１２１を制御し、配信装置３００が移動体通信端末１００宛に送信しているコンテンツデータ（以下、「配信番組データ」とする）の受信を開始する（ステップＳ５０２）。
【０１２８】
このとき、受信切替部１１６は、配信番組受信部１１７が受信する配信番組データの再生を再生処理部１１８に指示する。よって、再生処理部１１８は、配信番組受信部１１７が受信して配信番組格納領域１６２に格納した配信番組データを読み出し、所定のデコード動作などによる再生動作を開始する（ステップＳ５０３）。
【０１２９】
なお、この時点では、再生処理部１１８は、放送番組受信部１１４によって受信されている、放送装置２００から放送されたコンテンツデータ（以下、「放送番組データ」とする）の再生と並行して再生動作をおこなう。そして、双方のコンテンツデータのＴＳパケットに多重化されている同期情報を用いて、ステップＳ５０３で開始した配信番組データの再生を、放送番組データの再生に同期させる（ステップＳ５０４）。
【０１３０】
双方の再生が同期すると（ステップＳ５０５：Ｙｅｓ）、再生処理部１１８は、放送番組データの出力から配信番組データの出力に切り替え（ステップＳ５０６）、図８に示すテレビ番組受信処理のフローに戻る。すなわち、再生した配信番組データを表示部１４０と音声処理部１５０に出力することで、配信装置３００から配信されたテレビ番組の映像と音声が出力される。
【０１３１】
すなわち、視聴していたテレビ番組のコンテンツデータの取得先を、これまでの放送（放送装置２００）から配信装置３００に切り替えて再生を継続する。
【０１３２】
一方、受信した制御信号が、受信方法を通信から放送に切り替えるものである場合（ステップＳ５０１：Ｎｏ）、受信切替部１１６は、放送装置２００から放送されるコンテンツデータの受信開始を放送番組受信部１１４に指示する。この場合、放送番組受信部１１４は、放送受信部１２５を制御し、放送装置２００が放送しているコンテンツデータの受信を開始する（ステップＳ５０７）。
【０１３３】
このとき、受信切替部１１６は、放送番組受信部１１４が受信するコンテンツデータの再生を再生処理部１１８に指示する。よって、再生処理部１１８は、放送番組受信部１１４が受信して放送番組格納領域１６１に格納したコンテンツデータ（放送番組データ）を読み出し、所定のデコード動作などをおこなって再生を開始する（ステップＳ５０８）。
【０１３４】
なお、この時点では、再生処理部１１８は、配信番組受信部１１７によって受信されている、配信装置３００から配信されたコンテンツデータ（配信番組データ）の再生と並行して再生動作をおこなう。そして、双方のコンテンツデータのＴＳパケットに多重化されている同期情報を用いて、ステップＳ５０８で開始した放送番組データの再生を、配信番組データの再生に同期させる（ステップＳ５０９）。
【０１３５】
双方の再生が同期すると（ステップＳ５１０：Ｙｅｓ）、再生処理部１１８は、配信番組データの出力から放送番組データの出力に切り替え（ステップＳ５１１）、図８に示すテレビ番組受信処理のフローに戻る。すなわち、再生した放送番組データを表示部１４０と音声処理部１５０に出力することで、放送装置２００が放送したテレビ番組の映像と音声が出力される。
【０１３６】
すなわち、視聴していたテレビ番組のコンテンツデータの取得先を、これまでの配信装置３００から放送（放送装置２００）に切り替えて再生を継続する。
【０１３７】
このような処理により、配信装置３００から送信される制御信号に応じて、視聴しているコンテンツデータの取得先が、放送から通信、もしくは、通信から放送にシームレスに切り替えられる。
【０１３８】
以上説明したように、上記実施形態によれば、移動体通信端末１００でテレビ放送を受信する際に、位置情報と受信レベル情報とを配信装置３００に送信する。これにより、配信装置３００では、放送エリアの各所における受信状態を示す情報が、複数の移動体通信端末１００から随時収集される。また、配信装置３００では、各移動体通信端末１００から送信される位置情報の履歴に基づいて、各移動体通信端末１００の移動先（移動方向）を予測し、予測した移動先での受信状態が良好でない場合、コンテンツデータの取得先（テレビ番組の受信方法）を放送から通信に切り替えさせるとともに、放送装置２００で放送しているコンテンツと同一のコンテンツデータを移動体通信端末１００に配信する。これにより、移動体通信端末１００では、放送エリア内での受信状態が悪化する前に、配信装置３００から配信されたコンテンツデータの再生に切り替えることができ、再生品質の低下などのない良好なテレビ視聴を継続することができる。
【０１３９】
また、移動体通信端末１００の移動により、放送の受信状態が良好になる場合には、配信装置３００の制御によって、コンテンツデータの取得先が通信から放送に切り替えられるので、通信料などが発生しうる通信によるテレビ番組受信を必要最小限にとどめることができる。
【０１４０】
さらに、放送エリア内の各所における受信状態を、当該放送エリアで放送を受信している複数の移動体通信端末１００から随時収集することができるので、最新の情報を用いて詳細に受信状態を判別することができる。すなわち、受信状態の良否に影響する地形や建造物などに変化が生じても随時反映されるので、正確に受信状態の変化を判別して移動体通信端末１００を切替制御することができる。これにより、移動体通信端末１００では常に良好なテレビ視聴をおこなうことができる。
【０１４１】
上記実施形態は一例であり、本発明の適用範囲はこれに限られない。すなわち、種々の応用が可能であり、あらゆる実施の形態が本発明の範囲に含まれる。
【０１４２】
例えば、上記実施形態では、移動体通信端末１００が位置登録動作をおこなう際に基地局３０から得られる位置情報を用いたが、例えば、移動体通信端末１００がＧＰＳ（Global Positioning System：全地球測位システム）などの位置検出機能を備えている場合は、当該位置検出機能で得られる位置情報を用いてもよい。すなわち、移動体通信端末１００の位置を示すものであれば、位置情報の種類や取得する方法は任意である。
【０１４３】
また、上記実施形態では、各放送局の放送装置２００に配信装置３００を対応させた例を示したが、例えば、放送エリア内のすべての放送局の放送についてのコンテンツデータの配信を配信装置３００がおこなってもよい。すなわち、このような補完的なコンテンツデータの配信サービスをおこなう一の事業者が、複数の放送局との契約などに基づいて配信サービスを提供してもよい。
【０１４４】
また、上記実施形態では、受信状態が良好でない場所から良好な場所に移動体通信端末１００が移動する場合も、配信装置３００からの制御信号によってコンテンツデータの取得先を切り替えたが、移動体通信端末１００の判断によって切り替えるようにしてもよい。この場合、例えば、配信装置３００から配信されているコンテンツデータを移動体通信端末１００で再生出力している間も放送電波の受信を継続し、受信状態通知部１１５が検出する受信レベル（電界強度）の変化に基づいて、移動体通信端末１００が自律的にコンテンツデータの取得先を放送に切り替えるようにすればよい。このような構成によれば、実際に受信状態が良好となってからコンテンツデータの取得先が切り替えられるので、より確実に良好な視聴をおこなうことができる。
【０１４５】
また、上記実施形態では、放送エリアの受信状態を示す受信状態マップを生成して移動体通信端末１００の受信状態を判別したが、このようなマップ形式のデータを生成せずに、例えば、受信状態マップテーブルに記録されているようなデータに基づいて受信状態を判別してもよい。また、受信状態のレベル分けの方法や区分数、切替制御の基準となるレベルなどは一例であり、いずれも任意の方法や設定を適用することができる。また、上記実施形態では、受信レベルを示す情報として電界強度を用いたが、受信状態を判別できるのであれば、電界強度の検出に限らず、任意の検出方法を用いてもよい。
【０１４６】
なお、上述した移動体通信端末１００のように、本発明を実現するための機能を予め備えている移動体通信端末として提供できることはもとより、請求項１０にかかる発明を適用することで、これらの機能を備えていない既存の移動体通信端末などを、本発明にかかる移動体通信端末として機能させることもできる。この場合、少なくともテレビ放送受信機能を有する移動体通信端末に、上述した移動体通信端末１００の各処理を実行させるためのプログラムを適用し、当該移動体通信端末を制御するコンピュータ（ＣＰＵなど）がそのプログラムを実行することで、本発明にかかる移動体通信端末として機能させることができる。
【０１４７】
また、配信装置３００における中央制御装置３４０についても、専用装置によって構成可能であることはもとより、請求項９にかかる発明を適用することで、汎用的なコンピュータ装置を本発明にかかる放送補完装置（配信装置３００、中央制御装置３４０）として機能させることができる。この場合、上述した中央制御装置３４０の制御部３４１が実行するプログラムを汎用コンピュータ装置に適用することで、中央制御装置３４０として機能させることができる。
【０１４８】
このようなプログラムの適用方法は任意であり、例えば、インターネットなどの通信媒体を介して提供することで任意の装置に適用できる他、所定の記録媒体（例えば、メモリカード、ＣＤ−ＲＯＭ、ＤＶＤ、など）にプログラムを格納して配布することでも適用可能である。
【図面の簡単な説明】
【０１４９】
【図１】本発明の実施形態にかかるテレビ受信システムの構成を示す図である。
【図２】図１に示す移動体通信端末の構成を示すブロック図である。
【図３】図２に示す記憶部に格納される情報の例を示す図であり、（ａ）は放送番組格納領域に格納される情報の例を示し、（ｂ）および（ｃ）は放送情報格納領域に格納される情報の例を示す。
【図４】図２に示す制御部によって実現される機能構成を示す機能ブロック図である。
【図５】図１に示す放送装置および配信装置の構成を示すブロック図である。
【図６】図５に示す中央制御装置の制御部によって実現される機能構成を示す機能ブロック図である。
【図７】図５に示す記憶装置に格納される情報の例を示す図であり、（ａ）は端末情報格納領域に格納される情報の例を示し、（ｂ）および（ｃ）は受信状態情報格納領域に格納される情報の例を示す。
【図８】本発明の実施形態にかかるテレビ放送受信処理を説明するためのフローチャートである。
【図９】本発明の実施形態にかかるテレビ放送補完処理を説明するためのフローチャートである。
【図１０】図９に示すテレビ放送補完処理で実行されるマップ更新処理を説明するためのフローチャートである。
【図１１】図９に示すテレビ放送補完処理で実行される切替制御処理を説明するためのフローチャートである。
【図１２】本発明の実施形態にかかる受信切替処理を説明するためのフローチャートである。
【符号の説明】
【０１５０】
１…テレビ受信システム、１０…移動体通信網、２０…交換機、３０…基地局、１００…移動体通信端末、１１０…制御部、１１１…アプリケーション処理部、１１２…位置情報処理部、１１３…放送情報取得部、１１４…放送番組受信部、１１５…受信状態通知部、１１６…受信切替部、１１７…配信番組受信部、１１８…再生処理部、１２０…無線部、１２１…通信送受信部、１２２…アンテナ、１２５…放送受信部、１２６…アンテナ、１３０…操作部、１４０…表示部、１５０…音声処理部、１５１…マイクロフォン、１５２…スピーカ、１６０…記憶部、１６１…放送番組格納領域、１６２…配信番組格納領域、１６３…放送情報格納領域、１６４…プログラム格納領域、２００…放送装置、２１０…放送コンテンツサーバ、２２０…放送データ送信部、ＢＦ…放送設備、３００…配信装置、３１０…コンテンツデータ取得部、３２０…端末送信部、３３０…端末受信部、３４０…中央制御装置、３４１…制御部、３４２…記憶部、３４３…端末情報管理部、３４４…受信状態判別部、３４５…受信状態マップ作成部、３４６…端末位置予測部、３４７…受信切替制御部、３４８…コンテンツ配信部、３５０…記憶装置、３５１…端末情報格納領域、３５２…受信状態情報格納領域、３５３…コンテンツデータ格納領域
【図１】
2007259049.tif 000003
【図２】
2007259049.tif 000004
【図３】
2007259049.tif 000005
【図４】
2007259049.tif 000006
【図５】
2007259049.tif 000007
【図６】
2007259049.tif 000008
【図７】
2007259049.tif 000009
【図８】
2007259049.tif 000010
【図９】
2007259049.tif 000011
【図１０】
2007259049.tif 000012
【図１１】
2007259049.tif 000013
【図１２】
2007259049.tif 000014